(57)【要約】【課題】極力少ない数のＬＥＤを使用して、安価な温度表示器やこの温度表示器を備えた冷却貯蔵庫を提供すること。【解決手段】冷凍室７の設定温度を設定するために、左から３番目の導光体４０内の導電物４９前方のガラス１５に表示された「冷凍」の文字を含む操作部５９Ｃに、利用者の指が触れると、導電物４９を介して電解容量の変化を検出体３０が検出し、この検出体３０に接続されるスイッチが閉じられ、利用者の押圧操作毎に冷凍室７の設定温度が１℃ずつ変更しながら設定された冷凍室７の設定温度が表示器３１に表示される。即ち、冷凍室７の設定温度を表示するために、必要なＬＥＤ７１が点灯するので、その前方の表示器本体７０の導光体７７及び透光部８０を介して前記表示板７３の左部に設定温度が表示されることとなる。【選択図】図９
2010230226.tif 000002
【特許請求の範囲】
【請求項１】
温度を表示する温度表示器であって、
プリント基板に取り付けられる表示器本体と、複数のＬＥＤが取り付けられて前記表示器本体の裏面に取り付けられるＬＥＤ取付体と、前記表示器本体の表面に取り付けられる表示板とを備え、
前記表示器本体には温度を拡大して表示するように後方から前方へ向けて横長又は縦長の長手方向が徐々に長くなるように１つの数字を構成する７つのセグメントの取付孔を形成して、この各取付孔内に導光体を収納し、
前記ＬＥＤ取付体には前記ＬＥＤを前記導光体に対向して配設し、
前記表示板には前記取付孔に対向して透光部を設けたことを特徴とする温度表示器。
【請求項２】
温度を表示する温度表示器であって、
プリント基板に形成された係止孔に係止体が係止することにより取り付けられる表示器本体と、複数のＬＥＤが取り付けられて前記表示器本体の裏面に取り付けられるＬＥＤ取付体と、前記表示器本体の表面に取り付けられる表示板とを備え、
前記表示器本体には温度を拡大して表示するように後方から前方へ向けて横長又は縦長の長手方向がその中心から外方に向けて徐々に長くなるように前記ＬＥＤとほぼ同じ面積の後面開口部及び前記ＬＥＤより大きな前面開口部を有する１つの数字を構成する７つのセグメントの取付孔を形成して、この各取付孔内にこの取付孔の容積とほぼ同じ容積の導光体を収納し、
前記ＬＥＤ取付体には前記ＬＥＤを前記導光体裏面に対向して配設し、
前記表示板には前記取付孔に対向して透光部を設けたことを特徴とする温度表示器。
【請求項３】
請求項１又は請求項２に記載の温度表示器を備えたことを特徴とする冷却貯蔵庫。
【発明の詳細な説明】
【技術分野】
【０００１】
本発明は、温度を表示する温度表示器に関し、また設定温度や庫内温度を表示する温度表示器を備えた冷却貯蔵庫に関する。
【背景技術】
【０００２】
冷却貯蔵庫における設定温度や庫内温度を表示する温度表示器については、例えば特許文献１などに開示されている。一般に７セグメントのＬＥＤにて、所定の桁数を表示させている。そして、１セグメントについて、複数個のＬＥＤを使用して表示するのが、一般的である。
【先行技術文献】
【特許文献】
【０００３】
【特許文献１】特開平１１−１１８３３１号公報
【発明の概要】
【発明が解決しようとする課題】
【０００４】
しかし、１セグメントについて、複数個のＬＥＤを使用して表示するものであるために、高価なものとなっていた。
【０００５】
そこで本発明は、極力少ない数のＬＥＤを使用して、安価な温度表示器を提供すること、及びこの表示器を備えた冷却貯蔵庫を提供することを目的とする。
【課題を解決するための手段】
【０００６】
このため第１の発明は、温度を表示する温度表示器であって、
プリント基板に取り付けられる表示器本体と、複数のＬＥＤが取り付けられて前記表示器本体の裏面に取り付けられるＬＥＤ取付体と、前記表示器本体の表面に取り付けられる表示板とを備え、
前記表示器本体には温度を拡大して表示するように後方から前方へ向けて横長又は縦長の長手方向が徐々に長くなるように１つの数字を構成する７つのセグメントの取付孔を形成して、この各取付孔内に導光体を収納し、
前記ＬＥＤ取付体には前記ＬＥＤを前記導光体に対向して配設し、
前記表示板には前記取付孔に対向して透光部を設けたことを特徴とする。
【０００７】
また第２の発明は、温度を表示する温度表示器であって、
プリント基板に形成された係止孔に係止体が係止することにより取り付けられる表示器本体と、複数のＬＥＤが取り付けられて前記表示器本体の裏面に取り付けられるＬＥＤ取付体と、前記表示器本体の表面に取り付けられる表示板とを備え、
前記表示器本体には温度を拡大して表示するように後方から前方へ向けて横長又は縦長の長手方向がその中心から外方に向けて徐々に長くなるように前記ＬＥＤとほぼ同じ面積の後面開口部及び前記ＬＥＤより大きな前面開口部を有する１つの数字を構成する７つのセグメントの取付孔を形成して、この各取付孔内にこの取付孔の容積とほぼ同じ容積の導光体を収納し、
前記ＬＥＤ取付体には前記ＬＥＤを前記導光体裏面に対向して配設し、
前記表示板には前記取付孔に対向して透光部を設けたことを特徴とする。
【０００８】
第３の冷却貯蔵庫に係る発明は、第１又は第２の発明の温度表示器を備えたことを特徴とする。
【発明の効果】
【０００９】
本発明は、極力少ない数のＬＥＤを使用して、安価な温度表示器を提供することができ、及びこの表示器を備えた冷却貯蔵庫を提供することができる。
【図面の簡単な説明】
【００１０】
【図１】冷凍冷蔵庫の斜視図である。
【図２】冷凍冷蔵庫の各扉体を外した状態の本体の斜視図である。
【図３】本体上部の縦断面図である。
【図４】プリント基板の各部品を取り付ける前の斜視図である。
【図５】プリント基板の斜視図である。
【図６】導光体の側面図である。
【図７】表示器の分解斜視図である。
【図８】表示器の斜視図である。
【図９】図８のＡ−Ａ断面図である。
【図１０】図１の要部拡大図である。
【発明を実施するための形態】
【００１１】
以下、図面に基づき本発明の実施形態につき説明する。図１及び図２に示すように、先ず冷却貯蔵庫としての冷凍冷蔵庫１の本体（断熱箱体）２は、前面に開口部を有する鋼板製の外箱と、この外箱内に間隔を持たせて組み込まれ、前面に開口部を有する合成樹脂材料で作製された内箱と、これら外箱と内箱との間に充填発泡された発泡ポリウレタン断熱材とから構成されている。
【００１２】
そして、前記発泡ポリウレタン断熱材を充填発泡する前に、前記内箱の上部において空間を左右に分割して仕切る上縦仕切体３及び左部において空間を上下に分割して仕切る横仕切体４を内箱に固定して、内箱に配設した治具と共に上縦仕切体３及び横仕切体４が内側から内箱を堅固に支持する。このように支持した状態で、外箱と内箱との間に発泡ポリウレタン断熱材を充填発泡する。
【００１３】
この発泡ポリウレタン断熱材の充填後に、本体２の背面側下部の機械室内に冷凍サイクルを構成する圧縮機及び凝縮器用送風機を配設し、本体２底面の下方に凝縮器を配設し、また右の上下方向に長い冷蔵室６下部と左の冷凍室７下部の背方には両者に跨るように、内箱の内側正面を凹ませて形成した冷却室内に蒸発器である冷却器を配設する。
【００１４】
そして、内箱との間で冷気循環用ダクトを形成する風路形成体を内箱に固定し、次いで下縦仕切体９を上縦仕切体３と内箱に固定する。このようにして、前記内箱内の空間は断熱材をそれぞれ内部に備えた上縦仕切体３及び下縦仕切体９により左右に仕切られ、更にこのように左右に仕切られた左の空間は内部に断熱材を備えた横仕切体４により上下に仕切られて、大きく３つに区画されて、右の冷蔵室６、左上部の冷蔵室８、左下部の冷凍室７が形成される。
【００１５】
そして、右の冷蔵室６の前面開口部には右上下部が回動可能に支持された扉体１０が配設され、前記左の冷蔵室８及び冷凍室７前面開口部にも夫々左上下部が回動可能に支持された扉体１１、１２が配設される。
右の冷蔵室６に対応する扉体１０は、図３に示すように、その間に空気層を有する３枚の透明の導電体であるガラス１５、１６及び１７を備え、手前側のガラス１５上部と３枚のガラス１５、１６、１７下部とがアルミニウム製の枠体１８により支持されている。一番手前のガラス１５裏面は黒色の塗装がなされている。
【００１６】
そして、この扉体１０の裏面周囲にはマグネットパッキング２０が配設された支持体２１が設けられており、扉体１０内の支持体２１上部における前方空間Ｓ内において操作スイッチ類などの電気部品が設けられたプリント基板２２が上基板支持部２３及び下基板支持部２４により支持された状態で配設される。
【００１７】
次に、横長の長方形状の前記プリント基板２２に配設される各電気部品について、図３乃至図６に基づいて、以下説明する。このプリント基板２２前面には静電容量検出用の検出体３０が横方向に５つ並設され、各検出体３０は図示しないスイッチに接続される。この左の３つの検出体３０と右の２つの検出体３０との間には、冷凍室７の設定温度又は現在温度及び冷蔵室６、８の設定温度又は現在温度を表示する表示器３１が配設される。即ち、裏面の左右上下端部に形成された各係止体３２がプリント基板２２に形成された係止孔３３に係止することにより、この表示器３１はプリント基板２２に取り付けられるが、後で詳述する。
【００１８】
そして、各検出体３０の上方位置及び下方位置におけるプリント基板２２には係止孔３５が形成され、各係止孔３５の上方位置及び下方位置に光源としてのＬＥＤ（Ｌｉｇｈｔ  Ｅｍｉｔｔｉｎｇ  Ｄｉｏｄｅ）３６が配設される。このプリント基板２２の各検出体３０の前方位置に、各導光体４０が固定される。
【００１９】
図６に示すこの導光体４０は、透明な合成樹脂材料で作製されて、概ね中空円筒体形状を呈しており、周側壁４１は後方に向けて内径及び外径が外方へ拡がるように形成されており、また前記周側壁４１の後端上下部の１８０度対向した位置には前記ＬＥＤ３６に対応して前記ＬＥＤ３６からの光を導入するために切除された凹溝である光導入部４２が形成され、更にこの周側壁４１の光導入部４２が形成される部位は前後方向の長さが最長であって、両光導入部４２間の中央部位が最短となるように徐々に短くなるように形成される。即ち、この導光体４０の周側壁４１は、正面から見て上部の０度及び下部の１８０度の位置が最長で、右横の９０度及び左横の２７０度の位置が最長となるように形成される。
【００２０】
このように導光体４０の周側壁４１を形成したので、各ＬＥＤ３６が点灯すると、その照明光が周側壁４１の後面４１Ａに沿って導光され、この後面４１Ａから周側壁４１内を前方に透過することとなり、周側壁４１の前面４１Ｂへと導かれ、この前面４１Ｂが明るくなって表示面となる。
【００２１】
しかも、数を少なくして配設した２個のＬＥＤ３６が点灯すると、周側壁４１の後面４１ＡのＬＥＤ３６に近い部位は表示面である前面４１Ｂまでは最も遠く、ＬＥＤ３６から遠くなるに従って徐々に前面４１Ｂまで近くなっているので、光量が均一に前面４１Ｂまで届くこととなって、照明ムラが無く、一様となる。
【００２２】
また、前記導光体４０の周側壁４１の内側には、前後の中間位置で正方形の開口４３が形成された鍔部４４が形成され、この上下の鍔部４４には係止体４５が夫々形成され、プリント基板２２に形成された各係止孔３５に各係止体４５が嵌合係止することにより、プリント基板２２に導光体４０が取り付けられる。このプリント基板２２に取り付けられた各導光体４０の中空部内には導電体で構成されたスポンジ状の導電物４９を収納し、しかもこの導電物４９の後面を前記プリント基板２２の検出体３０前面に接触するように、且つこの導電物４９の前面を扉体１０のガラス１５の後面に接触するように収納する。
【００２３】
なお、前記扉体１０の透明なガラス１５の裏面は、黒色の塗装がなされているが、表示器３１の前方部分、各導電物４９の周囲の環状部分及び後述するＬＥＤ５５、５６の前方部分は塗装がされずに透明である。そして、各導光体４０に対応して各導電物４９の前方位置の操作部５９Ａ乃至５９Ｅは黒色に塗装がなされるが、この黒色に塗装された操作部５９Ａ乃至５９Ｅに、その操作部５９Ａ乃至５９Ｅの意味する文字等が白色印刷されている（図１０参照）。
【００２４】
即ち、最左の操作部５９Ａには製氷機により製氷するための「製氷」と、その右隣りの操作部５９Ｂには冷凍室７、冷蔵室６、８の室内を急速に冷却するための「速凍」と、その右隣りの操作部５９Ｃには冷凍室７の設定温度を設定するための「冷凍」と、表示器３１を介して右隣りの操作部５９Ｄには冷蔵室６、８の設定温度を設定するための「冷蔵」と、その右隣り（最右の）の操作部５９Ｅには庫内灯を点灯させるための「庫内灯」と印刷表示されている。
【００２５】
以上のように、プリント基板２２前面の各検出体３０の前方位置に各導光体４０が配設されることとなるが、前記ガラス１５の表示器３１の前方部分は透明であり、このガラス１５の透明部分を介して、表示器３１に表示された冷凍室７の現在温度及び冷蔵室６、８の現在温度を使用者は見て確認することができる。
【００２６】
ここで例えば、冷凍室７の温度設定をするために、ガラス１５に表示された操作部５９Ｃに表示された「冷凍」という文字表示を見て対応する左から３番目の操作部５９Ｃである導光体４０内の導電物４９前方のガラス１５に指が触れると、導電物４９を介して電解容量の変化を検出体３０が検出することにより、この検出体３０に接続されるスイッチが閉じられて冷凍室７の現在温度に代わって設定温度が表示され、そして長押しすると順次冷凍室７の設定温度がマイナス１５℃からマイナス２１℃までの範囲で１℃単位で歩進し、またマイナス２１℃まで到達するとマイナス１５℃まで戻って同様に歩進して、順次表示器３１の左部にその設定温度が表示されると共に、長押しを止めたときの設定温度が設定され、図示しない記憶装置に格納される。
【００２７】
また同様に、冷蔵室６、８の設定温度をするために、ガラス１５に表示された操作部５９Ｄに表示された「冷蔵」という文字表示を見て対応する左から４番目の操作部５９Ｄである導光体４０内の導電物４９前方のガラス１５に指が触れると、導電物４９を介して電解容量の変化を検出体３０が検出することにより、この検出体３０に接続されるスイッチが閉じられて冷蔵室６、８の現在温度に代わって設定温度が表示され、そして長押しすると順次冷蔵室６、８の設定温度が２℃から１０℃まで１℃単位で歩進し、また１０℃まで到達すると２℃まで戻って同様に歩進して、順次表示器３１の右部においてその設定温度が表示されると共に、長押しを止めたときの設定温度が設定され、図示しない記憶装置に格納される。
【００２８】
なお、前記操作部５９Ｃに利用者の指が触れて、前述したように、前記スイッチが閉じられると、左から３番目の導光体４０に対応する２個のＬＥＤ３６が点灯し、その照明光が周側壁４１の後面４１Ａに沿って導光され、この後面４１Ａから周側壁４１中を前方に透過することとなり、周側壁４１の前面４１Ｂへと導かれ、表示面となる前面４１Ｂが明るくなって、どの操作部が操作されたのかがわかる。このとき、周側壁４１の後面４１ＡのＬＥＤ３６に近い部位は表示面である前面４１Ｂまでは最も遠く、ＬＥＤ３６から遠くなるに従って徐々に前面４１Ｂまで近くなっているので、光量が均一に前面４１Ｂまで届くこととなって、照明ムラが無く、一様となる。
【００２９】
なお、以上のように、左から３番目の導光体４０内の導電物４９前方のガラス１５に表示された「冷凍」の文字を含むエリアが操作部５９Ｃとなって、３番目の導光体４０に対応する２つのＬＥＤ３６が点灯して、この導光体４０の前面４１Ｂまで光が届いて照明するが、この左から３番目の導光体４０に限らず、他の導光体４０も同様に照明できる。
【００３０】
また、５０は角筒状を呈した遮光体で、４つの側面が遮光壁となり、左から２番目の導光体４０の周囲を前方から覆うようにプリント基板２２に取付けられる。即ち、遮光体５０の上壁及び下壁の後面中央部に形成された各係止体５１がプリント基板２２に形成された係止溝５２、係止孔５３に係止することにより、この遮光体５０はプリント基板２２に取り付けられる。従って、３つ並設された導光体４０のうちの真ん中の導光体４０を遮光体５０が覆うことにより、３つのうちのどの導光体４０が照明されても、その他の導光体４０にまで光が届かず、確実に遮光するので、どの操作部が操作されたのかが、確実に把握することができる。
【００３１】
また、前記扉体１０の真ん中のガラス１６の前面には通電すると発熱する透明なフィルムヒータである扉ヒータが接着されてあり、この扉体１０に露が付着することを防止しているが、この扉ヒータが通電されると点灯するＬＥＤ５５と、チャイルドロック状態を表示するためのＬＥＤ５６とが右の２つの検出体３０の間のプリント基板２に上下に取り付けられてある。
【００３２】
６６は正面視８の字状を呈して連続した２つの円筒体６６Ａ、６６Ｂから成る遮光体で、２つの円筒体６６Ａ、６６Ｂが遮光壁となり、また前記ＬＥＤ５５、５６を前方から覆うようにプリント基板２２に取り付けられる。
【００３３】
即ち、遮光体６６の円筒体６６Ａの後面上部及び円筒体６６Ｂの後面下部に形成された係止体５８がプリント基板２２に形成された各係止孔５７に係止することにより、この遮光体６６はプリント基板２２に取り付けられる。従って、右の２つの導光体４０からの光を遮光でき、また前記ＬＥＤ５５、５６が点灯したときにこの照明光を側方に逃さず、前面に向けることができるので、どのＬＥＤ５５、５６が照明したのかが、確実に把握することができる。
【００３４】
ここで、冷凍室７の設定温度又は現在温度、及び冷蔵室６、８の設定温度又は現在温度を表示する表示器３１について、図７乃至図９に基づいて、詳述する。先ず、この表示器３１は、大きく分けて、その裏面の左右上下端部に係止体３２が形成された表示器本体７０と、光源としての複数のＬＥＤ７１が表面に取り付けられて前記表示器本体７０の裏面に取り付けられるＬＥＤ取付体７２と、前記表示器本体７０の表面に取り付けられる表示板７３とから構成される。
【００３５】
なお、本実施形態では、ＬＥＤ取付体７２の表面にＬＥＤ７１を取り付けるが、ＬＥＤ取付体７２の表面に取付孔又は取付溝を形成して、この取付孔又は取付溝内にＬＥＤ７１を収納して取り付けてもよい。
【００３６】
初めに前記表示器本体７０には、裏面側には前記ＬＥＤ取付体７２を収納する凹溝７５が開設され、しかもこの凹溝７５は前記ＬＥＤ取付体７２の厚さとほぼ同じ深さに開設され、ＬＥＤ取付体７２が凹溝７５を形成する面に接着されて収納されると裏面と同じ面一となる。
【００３７】
また、図７に示すように、１つの数字を構成する７つのセグメントの取付孔７６が冷凍室７の設定温度又は現在温度を表示するために前記表示器本体７０の左部に２つ、また右部に冷蔵室６、８の設定温度又は現在温度を表示する２つ開設され、更に左部の２つの取付孔７６の左隣りに「マイナス」という意味の文字を表すための１つの取付孔７６及び左部の２つの取付孔７６の右隣りに温度の「℃」という意味を表すための４つの取付孔７６を開設すると共に左部の２つの取付孔７６の右隣りに温度の「℃」という意味を表すための４つの取付孔７６を開設する。
【００３８】
この場合、前記「℃」の度を表す「゜」の前記取付孔７６を除き、その他の取付孔７６は前方から後方へ向けて横長又は縦長の長手方向がその中心に向けて徐々に短くなるように形成する。従って、図７に示すように、連続してはいないが（セグメントであるために。）、組立て前の前記表示器本体７０の左部は「−８８℃」と、右部は「８８℃」と見える。
【００３９】
また、前記表示器本体７０裏面側の凹溝７５に前記ＬＥＤ取付体７２を取り付けた際には、各ＬＥＤ７１は前記取付孔７６内に後方から嵌って収納されることとなる。即ち、「゜」の前記取付孔７６を除き、その他の取付孔７６の後面開口部はＬＥＤ７１とほぼ同じ面積を有し、四角形状の前面開口部はＬＥＤ７１の３倍より少し大きな面積を有するように形成され、前述したように、前記その他の取付孔７６は前方から後方へ向けて横長又は縦長の長手方向がその中心、即ち各ＬＥＤ７１に向けて徐々に短くなるように形成される。そして、この各取付孔７６内にこの取付孔７６とほぼ同じ容積を有する導光体７７が嵌め込まれて収納される。
【００４０】
言い換えると、後方から前方へ向けて横長又は縦長の長手方向がその中心から外方に向けて徐々に長くなるように前記ＬＥＤ７１とほぼ同じ面積の後面開口部及び前記ＬＥＤ７１より大きな前面開口部を有する１つの数字を構成する７つのセグメントの各取付孔７６を形成して、この各取付孔７６内にこの取付孔７６とほぼ同じ容積を有する導光体７７が嵌め込まれて収納される。従って、１つの数字を構成する１セグメントについて、ＬＥＤ７１が１個で済み、温度を拡大して表示することができる。
【００４１】
また前記表示器本体７０の表面に取り付けられる前記表示板７３は、遮光部７９と透光部８０とを備えた合成樹脂製のフィルム状のものである。即ち、前述したように、前記表示器本体７０の左部は「−８８℃」と、右部は「８８℃」と見えるが、その各文字又は数字に対応して５×９の４５個のＬＥＤ７１とほぼ同じ大きさの透光部８０が短い幅の遮光部７９を介して形成される。
【００４２】
従って、以上のように、表示器３１を構成したために、冷凍室７の設定温度や現在温度が表示器３１の左部に表示される。即ち、冷凍室７の設定温度などを表示するために、必要なＬＥＤ７１が点灯するので、その前方の表示器本体７０の導光体７７及び透光部８０を介して前記表示板７３の左部に明るく設定温度などが表示されることとなる。
【００４３】
また同様に、冷蔵室６、８の設定温度や現在温度が表示器３１の右部に表示される。即ち、冷蔵室６、８の設定温度などを表示するために、必要なＬＥＤ７１が点灯するので、その前方の表示器本体７０の導光体７７及び透光部８０を介して前記表示板７３の右部に明るく設定温度などが表示されることとなる。
【００４４】
この場合、ＬＥＤによる７セグメント表示などに際して、従来は１セグメントに複数個のＬＥＤを使用しなければならかったが、本実施形態によれば、１個で３個のＬＥＤと同じ役目を果たすことができるので、極めて安価な表示器を提供することができる。
【００４５】
なお、本実施形態によれば、１つの数字や文字を表示するのに、その数字や文字の１構成要素につきＬＥＤ７１を１個したが、大きな数字又は文字を表示するために、その数字や文字の１構成要素につき２個以上のＬＥＤ７１を使用して拡大して表示することで対処できるが、この場合でも極力少ない数のＬＥＤ７１で足りるので、極めて安価な表示器及びこの表示器を備えた冷却貯蔵庫を提供することができる。更には、冷却貯蔵庫に限らず、エアコンディショナーなどの空気調和機、その他の電気製品にも適用できる。
【００４６】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４７】
１      冷凍冷蔵庫
２      本体
１０    扉体
１５    ガラス
３０    検出体
３１    表示器
７０    表示器本体
７１    ＬＥＤ
７２    ＬＥＤ取付体
７３    表示板
７７    導光体
８０    透光部
【図１】
2010230226.tif 000003
【図２】
2010230226.tif 000004
【図３】
2010230226.tif 000005
【図４】
2010230226.tif 000006
【図５】
2010230226.tif 000007
【図６】
2010230226.tif 000008
【図７】
2010230226.tif 000009
【図８】
2010230226.tif 000010
【図９】
2010230226.tif 000011
【図１０】
2010230226.tif 000012